(57)【要約】　　【課題】側面部に開き雨戸を取付けた出窓において、外観が向上し、かつ大きな開き角が容易に得られるものを提供する。　　【解決手段】出窓の左右の側面部に、躯体に固定される縦枠４側に設けられる支点１２を中心として回動自在に開き雨戸１３を取付ける。開き雨戸１３を開閉するアーム３８の一端を、開き雨戸１３の支点１２よりも自由端側に回動自在に連結する。アーム３８の他端は、出窓の正面部の下枠または下枠に平行に設置したガイド部材に沿って摺動自在に設けた操作部材に連結する。アーム３８はその中間部に折り曲げることにより、開き雨戸１３の全閉時においてアーム３８が出窓の正面部および側面部の下枠の領域の内部または下部に納まる。【選択図】図１
2004036387.tif 000002
【特許請求の範囲】
【請求項１】
出窓の左右の側面部に、躯体に固定される縦枠側に設けられる支点を中心として回動自在に開き雨戸を取付け、
　前記開き雨戸を開閉するアームの一端を、前記開き雨戸の支点よりも自由端側に回動自在に連結し、
　該アームの他端は、出窓の正面部の下枠または下枠に平行に設置したガイド部材に沿って摺動自在に設けた操作部材に連結し、
　前記アームはその中間部を折り曲げることにより、開き雨戸の全閉時においてアームが出窓の正面部および側面部の下枠の領域の内部または下部に納まる構造とした
　ことを特徴とする出窓。
【請求項２】
出窓の左右の側面部に、躯体に固定される縦枠側に設けられる支点を中心として回動自在に開き雨戸を取付け、
　前記開き雨戸を開閉するアームの一端を、前記開き雨戸の支点よりも自由端側に回動自在に連結し、
　該アームの他端は、出窓の正面部の下枠または下枠に平行に設置したガイド部材に沿って摺動自在に設けた操作部材に連結し、
　前記アームはその中間部を折り曲げることにより、開き雨戸の全閉時においてアームが出窓の正面部および側面部の下枠の領域の内部または下部に納まる構造とし、
　下枠または前記ガイド部材に、アームの操作側端部の止め具を嵌めるロック用の孔を設けた
　ことを特徴とする出窓。
【発明の詳細な説明】
【技術分野】
【０００１】
　本発明は、出窓に関する。
【背景技術】
【０００２】
　従来の出窓として、特許文献１には、出窓の側面部における嵌め殺し窓の外側に、躯体に固定される縦枠側を支点として回動することにより開閉される開き雨戸を設けたものが記載されている。
【０００３】
【特許文献１】実公昭６３−４３３３６号公報
【発明の開示】
【発明が解決しようとする課題】
【０００４】
　本発明は、側面部に開き雨戸を取付けた出窓において、外観が向上し、かつ大きな開き角が容易に得られるものを提供することを目的とする。
【課題を解決するための手段】
【０００５】
　本発明は、出窓の左右の側面部に、躯体に固定される縦枠側に設けられる支点を中心として回動自在に開き雨戸を取付け、前記開き雨戸を開閉するアームの一端を、前記開き雨戸の支点よりも自由端側に回動自在に連結し、該アームの他端は、出窓の正面部の下枠または下枠に平行に設置したガイド部材に沿って摺動自在に設けた操作部材に連結し、前記アームはその中間部を折り曲げることにより、開き雨戸の全閉時においてアームが出窓の正面部および側面部の下枠の領域の内部または下部に納まる構造としたことを特徴とする（請求項１）。また、本発明は、下枠または前記ガイド部材に、アームの操作側端部の止め具を嵌めるロック用の孔を設けたことを特徴とする（請求項２）。
【発明の効果】
【０００６】
　請求項１によれば、開き雨戸の開閉操作用のアームの中間部を折り曲げることにより、開き雨戸の全閉時においてアームが出窓の正面部および側面部の下枠の領域の内部または下部に納まる構造としたので、アームが室内から目視できず、外観が良好となる。
【０００７】
　請求項２によれば、ロック用の孔に止め具が嵌まることにより、開き雨戸を開いた状態あるいは閉じた状態において、開き雨戸がロックされる。
【発明を実施するための最良の形態】
【０００８】
　図１は本発明による出窓の一実施例を示す斜視図、図２は該出窓の一部省略分解斜視図である。図１、図２において、１は出窓本体、２は中屋根、３はシャッターボックスである。
【０００９】
　出窓本体１は、図１、図２に示すように、いずれもアルミニウム合金製押出形材でなる左右の縦枠４と、左右の方立５と、縦枠４と方立５の上下にそれぞれ結合される上枠６、下枠７と、左右の方立５、５間に結合される上枠９および下枠１０とにより、これらがタッピングホールやその中にねじ込まれるねじ等により結合されて枠組みされる。
【００１０】
　図３の横断面図および図４の縦断面図に示すように、縦枠４は躯体２３にねじ等の固定具３７により固定され、縦枠４、方立５、上下の枠６、７内にガラスパネルからなる嵌め殺し窓８が取付けられる。また、該嵌め殺し窓８の室外側には、縦枠４近傍に設けられたピボット１２を中心として、後述のアーム３８により開閉されるように開き雨戸１３が取付けられる。該開き雨戸１３は、図１〜図４に示すように、アルミニウム合金製の縦框１３ａ、上框１３ｂ、下框１３ｃで組まれた枠内に鋼板等でなる複数枚のパネル１３ｄを組み込んでなるものである。
【００１１】
　図５の横断面図および図６の縦断面図に示すように、左右の方立５、５と上枠９と下枠１０で組まれた枠組み内には、開閉自在な窓を構成する２枚の引き違い障子１１が装着される。該引き違い障子１１の室外側には網戸３９が装着される。また、各方立５の室外側には、アルミニウム合金製押出形材でなるガイドレール１４、１４が、方立５に組み合わされてねじ等の固定具４２により固定して取付けられる。ガイドレール１４には、図７に示すように、シャッターボックス３の側板部に両端の軸部が取付けられた巻胴４０に巻取り繰り出しされるシャッタースラット４１の両端が上下動自在に装着される。本例の巻胴４０は、シャッタースラット４１を巻き上げるためのばねを内蔵したものであるが、この他、電動式や紐やチェーン操作式のものを用いることもできる。
【００１２】
　図４、図７に示すように、中屋根２は、耐候塗装を施した鋼鈑１５の室外側と側面部にアルミニウム合金製押出形材１６、２７をねじ等の固定具１７により固定し、出窓の天板１８の室外側端部および側部を、それぞれ前記室外側押出形材１６、２７に嵌め、発泡材等の断熱材１９を天板１８と鋼板１５との間に入れ、引き違い障子１１の上枠９を天板１８にねじ等の固定具２０により固定してなる。該中屋根２は、上部および側部に突設した鍔２１をねじ等の固定具２２により躯体２３に固定すると共に、天板１８の室内側を、天板見切り縁２４により躯体２３にねじ等の固定具２５によって固定して取付ける。
【００１３】
　図８（Ａ）、（Ｂ）の分解斜視図に示すように、中屋根２の両側袖部３０には、鋼板製の上面開口のブラケット受け３１を、袖部３０の下縁に設けた切り込み３０ａに、ブラケット受け３１の背面の突起３１ａを嵌合して位置決めした後、溶接等により、あるいはねじ等の固定具によって袖部３０と共に躯体２３に固定して取付ける。３２はシャッターボックス取付けのためのブラケットであり、該ブラケット３２は前記ブラケット受け３１に上から嵌め込んで位置決めされ、ねじ等の固定具３３を袖部３０の孔に通して躯体２３に挿入することにより固定される。ブラケット３２は上下に間隔を有して２つの係止片３２ａ、３２ｂを切り起こし状にかつ上向きに形成している。
【００１４】
　図８（Ａ）、図９に示すように、シャッターボックス３は、両側に内向きに折り曲げて形成した取付け片３４を有し、該取付け片３４には、前記係止片３２ａ、３２ｂにそれぞれ嵌合し係止するテーパー状下開きの切り込みでなる係止部３４ａ、３４ｂを設けている。このように係止部３４ａ、３４ｂをテーパー状に形成しているのは、シャッターボックス３をブラケット３２に取付ける際に、シャッターボックス３が横にずれても、シャッターボックス３が収まった後は正規の位置にシャッターボックス３を寄せるためである。
【００１５】
　前記袖部３０には、前記ブラケット受け３１あるいは袖部３０に接着あるいはねじ付けする等の手段により、プラスチック成形体でなる水切り３５を設けている。該水切り３５は、中屋根２の側面部２ａとシャッターボックス３の側面部３ａとの間に浸入した水を集めるために、これらの側面部２ａ、３ａ間の隙間の平面形状に合致した上面開口の溝３５ａと、溝３５ａに集められた水を室外側に排出するための溝３５ｂとを有する。
【００１６】
　８０はシャッターボックス３の側板部３ａの下部内面に固定したゴム等でなる端末ピースであり、該端末ピース８０は、シャッターボックス３をブラケット３２にセットすると、水切り３５と袖部３０と側板部３ａとの間の隙間を塞ぎ、これにより、雨水の下からの吹き込みを防ぐと共に、建物外壁内への水の浸入を防ぐものである。
【００１７】
　図１０は前記アーム３８の取付け構造を示す斜視図、図１１（Ａ）はアーム３８の平面図、同（Ｂ）、（Ｃ）はそれぞれその両端部の側面図、同（Ｄ）は（Ｂ）のＥ−Ｅ断面図、図１２は下枠１０におけるアーム３８の操作部の取付け構造を示す縦断面図、図１３は下枠１０の開き雨戸１３の操作部を示す平面図である。
【００１８】
　図１０および図１１（Ａ）、（Ｃ）に示すように、アーム３８の開き雨戸１３との連結部には、軸４４によりブラケット４５を回動自在に取付け、該ブラケット４５を開き雨戸１３の下框１３ｃにねじ４６により固定する。
【００１９】
　アーム３８の他端部に設ける操作部（つまみ５４）は、図５に示すようにシャッタースラット４１より室内側に取付けられ、次のように構成される。図１２に示すように、下枠１０には、空洞状のガイド部４７を設け、該ガイド部４７内に合成樹脂製の摺動体４８を嵌める。摺動体４８は、下面開口の中空体であり、内部に上下動自在にコマ５０を嵌め、摺動体４８内に縦向きに固定したねじロッド５１にばね５２を巻き、該ばね５２によりコマ５０を上向きに付勢している。該コマ５０には、Ｌ字形に折り曲げた金具５３を固定し、該金具５３はその垂直部を摺動体４６から上方に突出させてその先端につまみ５４を取付け、該金具５３の水平部は摺動体４８の側面の切欠より側方に突出させ、その突出した部分に、前記アーム３８の操作側端部を止め具５５により回動自在に連結する。図１２、図１３に示すように、下枠１０には、それぞれ開き雨戸１３を開いた状態と閉じた状態において、前記止め具５５が嵌め込まれるロック用の孔（係止孔）５６、５７が設けられる。５８は下枠１０の上面に設けられ、金具５３の垂直部を摺動自在に案内するガイド溝である。
【００２０】
　図１４（Ａ）は前記開き雨戸１３のピボット１２の構造を示す端面図、同（Ｂ）はその底面図、図１５（Ａ）はピボットの分解斜視図、同（Ｂ）はその正面図、同（Ｃ）はその側面図である。図１４、図１５に示すように、ピボット１２には、コ字形の金具６０を嵌着し、該ピボット１２にＵ字形の合成樹脂製キャップ６１の孔６２を嵌着し、該キャップ６１の鍔６１ａと前記コ字形の金具６０の鍔６０ａを結合用ピース６３により挟み、該ピース６３の先端の把持部６３ａを該ピボット１２に先端を嵌めて止める。さらに下枠７に設けた受具６５に載せるリング６４をピボット１２に嵌着する。
【００２１】
　このピボット１２は、縦框１３ａの上下端のホロー部に嵌着され（ただし、上端に嵌着されるものはリング６４は不要である）、固定具６７により縦框１３ａに固定されるが、この時、縦框１３ａの端部をキャップ６１の鍔６１ｂが覆い、かつ、キャップ６１の鍔６１ｂが縦框１３ａに沿って設けた気密材６６の押えの役目を兼ね、これにより部品点数の低減を図っている。前記結合用ピース６３は、縦框１３ａに嵌着される金具６０に対してキャップ６１の回動を阻止する役目も果たし、これにより気密材６６の端部の押え作用が確実に行えるようにしている。
【００２２】
　この出窓は、出窓本体１を躯体２３に取付けた後、図７に示すように、中屋根２を天板１８と共に躯体２３および出窓本体１に固定具２０、２２、２５により取付け、その後シャッターボックス３を中屋根２に被せるようにして取付ける。この取付けは、図８、図９に示すように、ブラケット受け３１にブラケット３２を嵌め込み、ブラケット３２を固定具３３により躯体２３に固定する。そして、シャッターボックス３をその取付け片３４の係止部３４ａ、３４ｂをブラケット３２の係止片３２ａ、３２ｂにそれぞれ係止させてセットする。そして、シャッターボックス３の鍔部６８をねじ等の固定具６９によって固定することにより取付ける。
【００２３】
　この出窓においては、シャッタースラット４１は、方立５に設けたガイドレール１４に沿って上下動自在に装着したので、シャッタースラット４１を開き雨戸１３に係りなく上下動して正面部からの採光あるいは遮光を行うことができる。また、引き違い障子１１を開けてつまみ５４をばね５２の力に抗して下に押すことにより、止め具５５を下枠１０に設けたロック用の孔５７との係合を解き、続いてつまみ５４を外側に押すことにより、アーム３８を介して開き雨戸１３が外側に開くことができ、最大に開いた状態において、止め具５５の位置が係止孔５６の位置に合致し、つまみ５４がばね５２の力によって押し上げられ、止め具５２がロック用の孔５６に嵌め込まれ、開き雨戸１３が開きの状態に固定される。開き雨戸１３を閉じる場合は逆の操作を行う。
【００２４】
　なお、障害物等により、開き雨戸１３が全開できない場所に出窓が取付けられた場合、開き雨戸１３の開き角度が自在に変えられるように、下枠１０の上面におけるロック用の孔５６、５７を結ぶ線上にＶ字形の断面形状を有する溝を設けておき、その溝上の任意の箇所にロック用の孔が空けられるようにしている。
【００２５】
　このように、シャッタースラット４１の上下動による正面部の開閉と、開き雨戸１３の開閉による側面部の開閉をそれぞれ単独で行うことができる。従って、住宅が近接している場合、正面部のシャッタースラット４１を降ろして閉じ、側面部の開き雨戸１３のみを開くことにより、側面部からのみの採光を行うことが可能となり、室内を覗かれることなく採光を行うことができる。また、近接住宅の配置や隣家の部屋の対面状況に応じて、上記とは逆に、正面部のシャッタースラット４１を上げて正面部を開き、側面部の開き雨戸１３を閉じることも可能であり、プライバシー保護の上で自在な態様の開閉状態を得ることができる。また、雨天時には正面のシャッタースラット４１を下げ、正面部を閉じて側面部の開き雨戸１３を開くことにより、嵌め殺し窓８により側面部からの雨の降り込みを防止した状態で採光を行うことができる。
【００２６】
　また、本実施例においては、ブラケット受け３１が袖部３０に正確に位置決めされ、従ってブラケット３２も正確な位置にセットされているので、シャッターボックス３を中屋根２に対して正確に位置にセットできる。また、シャッターボックス３がブラケット３２に仮止めされるので、シャッターボックス３の取付けが容易となる。
【００２７】
　このように、出窓の屋根が、中屋根２と、その上のシャッターボックス３とからなることにより、たとえ上屋根であるシャッターボックス３からの漏水が生じたとしても、中屋根２でその漏水が受け止められ、中屋根の傾斜面に沿って出窓の外側へと流下するので、漏水の天板等への流下が防止され、防水性が向上する。また、本実施例のように、中屋根２の側面部とシャッターボックス３の側面部との間に図８（Ａ）、図９に示すような水切り３５を設けることにより、シャッターボックス３の側面部やその上部から浸入する雨水は、図９の矢印３６で示すような、溝３５ａ、３５ｂを通して外部に流下するため、シャッターボックス内に雨水が滞ることなくスムーズに外部に排出される。また、シャッターボックス３と中屋根２との間に空間部が形成されることにより、断熱性が向上する。
【００２８】
　なお、中屋根２とシャッターボックス３とを一体に組み合わせて同時に取付ける構造も可能であるが、本実施例のように、屋根部を中屋根２とシャッターボックス３に２分割すると、中屋根２とシャッターボックス３とを一体的に構成する場合に比較し、各部品が軽量化され、取扱いが容易になると共に、比較的重量のあるボックスが後付けされるため、施工が容易となる。また、シャッターボックス３を取付けない構造にもそのままあるいは若干の変更のみで簡単に変換できる。
【００２９】
　さらに本実施例においては、図３に示すように、アーム３８をくの字形に形成し、その折れ角を出窓の正面部と側面部とのなす角度（いずれもθで示す。）にほぼ一致させているので、開き雨戸１３を２点鎖線に示すように閉じた状態においては、アーム３８を下枠７、１０に沿ってその内部あるいは下に納めて見えなくすることができ、外観が向上する。また、下枠７、１０とアーム３８とが干渉することがない。また、下枠１０に摺動体４８のガイド部材を設けてもよいが、本実施例のように、下枠１０自体にガイド部４７を形成することにより、別部材を要することがなく、部品点数が減少する。
【００３０】
　また、シャッタースラット４１の全閉時のシャッタースラット４１の位置より室内側に操作部（つまみ５４）を設けることにより、操作部が目立たたず、かつ、正面のシャッタースラット４１を閉めたままでも開き雨戸１３の開閉が可能である。
【００３１】
　また、図１、図４、図６の対比から分かるように、シャッタースラット４１と開き雨戸１３のパネル１３ｂの意匠を同じとすることにより、外観が向上する。さらにまた、シャッタースラット４１の室外側面の色と開き雨戸１３の室外側面の色とを同一とすることにより、まとまりのある外観を与え、また、開き雨戸１３の室外側面の色と室内側の面を同一とすることにより、開き雨戸１３を開いた状態と閉じた状態とで開き雨戸１３の外観を同じとすることができ、開き雨戸１３の開閉に係らず、シャッタースラット４１を含めてまとまりのある外観を与えることができる。また、シャッタースラット４１の室内側の面は明色とすることにより、シャッタースラット４１を降ろした状態において、室内側から見た感じが明るい感じを与えるようにすることが好ましい。
【００３２】
　本発明は、出窓本体１の正面部に、障子が横軸または縦軸中心に回動することにより開閉される縦開きまたは横開き窓を取付ける場合、あるいは辷り出し窓等を取付ける場合にも適用できる。また、本発明を実施するに当たり、シャッターボックス３を出窓の下側に設けたり、出窓下部に収納ボックスを設けたりする場合にも適用でき、また、開き雨戸１３は方立５側を支点として回動するように構成してもよい。さらに、シャッターボックス３、各枠４、６、７、９、１０、方立５、嵌め殺し窓８、開き雨戸１３、ガイドレール１４、シャッタースラット４１等の具体的構造やこれらの組み合わせ等について、上記実施例に限らず、種々に変更可能である。
【図面の簡単な説明】
【００３３】
【図１】本発明による出窓の一実施例を示す斜視図である。
【図２】該実施例の出窓の分解斜視図である。
【図３】該実施例の出窓の片側部分を示す横断面図である。
【図４】該実施例の出窓の側面部の縦断面図である。
【図５】該実施例の出窓の正面部の横断面図である。
【図６】該実施例の出窓の正面部の縦断面図である。
【図７】該実施例の出窓の屋根の縦断面図である。
【図８】（Ａ）は該実施例のシャッターボックスの取付け構造を示す分解斜視図、（Ｂ）はそのブラケット受けの取付け構造を示す斜視図である。
【図９】該実施例のシャッターボックスの取付け構造および水切りの取付け構造を示す斜視図である。
【図１０】該実施例のアームの取付け構造を示す斜視図である。
【図１１】（Ａ）はアームの平面図、（Ｂ）、（Ｃ）はそれぞれそのアームの両端部の側面図、（Ｄ）は（Ｂ）のＥ−Ｅ断面図である。
【図１２】該実施例の下枠におけるアームの操作部の取付け構造を示す縦断面図である。
【図１３】該実施例の下枠の開き雨戸の操作部を示す平面図である。
【図１４】（Ａ）は該実施例の開き雨戸のピボットの構造を示す端面図、（Ｂ）はその底面図である。
【図１５】（Ａ）は該実施例のピボットの分解斜視図、（Ｂ）はその正面図、（Ｃ）はその側面図である。
【符号の説明】
【００３４】
１：出窓本体、２：中屋根、３：シャッターボックス、４：縦枠、５：方立、６：上枠、７：下枠、８：嵌め殺し窓、９：上枠、１０：下枠、１２：ピボット、１３：開き雨戸、１４：ガイドレール、３８：アーム、４０：巻胴、４１：シャッタースラット、４７：ガイド部、４８：摺動体、５０：コマ、５２：ばね、５３：Ｌ字形金具、５４：つまみ、５５：止め具、５６、５７：ロック用の孔（係止孔）、５８：ガイド溝
【図１】
2004036387.tif 000003
【図２】
2004036387.tif 000004
【図３】
2004036387.tif 000005
【図４】
2004036387.tif 000006
【図５】
2004036387.tif 000007
【図６】
2004036387.tif 000008
【図７】
2004036387.tif 000009
【図８】
2004036387.tif 000010
【図９】
2004036387.tif 000011
【図１０】
2004036387.tif 000012
【図１１】
2004036387.tif 000013
【図１２】
2004036387.tif 000014
【図１３】
2004036387.tif 000015
【図１４】
2004036387.tif 000016
【図１５】
2004036387.tif 000017